(57)【特許請求の範囲】
【請求項１】
検体に対して各種処理を施す検体検査自動化システムであって、
当該検体検査自動化システムで処理を行う複数の検体容器を載置した複数の検体トレーを設置可能な検体投入部と、
前記検体容器を個別に検体トレーから検体ホルダーに移載する移載部と、
前記検体ホルダーに移載された前記検体容器を各種処理先へと搬送する搬送部と、
前記検体検査自動化システムの全体の操作および制御を行う操作制御部とを備え、
前記検体トレーは、複数の前記検体トレーから個別の検体トレーを識別するためのタグが付属し、
前記タグは、前記移載部が前記検体容器を前記検体ホルダーに移載する際の優先度の情報を含む、または前記優先度の情報と関連付けられ、
前記検体投入部は、前記検体トレーに付属したタグを読み取るタグ読取装置を有し、
前記操作制御部は、前記タグ読取装置で読み取った前記タグの情報から、前記優先度を認識し、認識した前記優先度に基づいて、前記移載部が前記検体容器の移載をおこなう前記検体トレーを決定することを特徴とする検体検査自動化システム。
【請求項２】
請求項１に記載の検体検査自動化システムであって、
前記タグは、前記検体トレー毎の優先度の情報を含む、または前記検体トレー毎の優先度の情報と関連付けられ、
前記操作制御部は、前記タグ読取装置で読み取った前記タグの情報から、前記検体トレー毎の優先度を認識し、認識した前記検体トレー毎の優先度に基づいて、前記移載部が前記検体容器の移載動作を開始することを特徴とする検体検査自動化システム。
【請求項３】
請求項１記載の検体検査自動化システムにおいて、
前記検体トレーは、内部が論理的に区画化可能であり、
前記操作制御部は、予め設定された前記検体トレーの区画毎の優先度に基づいて、前記移載部が前記検体容器の移載を行う前記検体トレーおよび区画を決定することを特徴とする検体検査自動化システム。
【請求項４】
請求項２記載の検体検査自動化システムにおいて、
前記操作制御部は、前記検体トレー毎に、前記検体容器を当該検体検査自動化システム内に投入する優先度を操作者に入力させる設定画面を表示し、前記設定画面に対して入力された入力情報に基づいて、前記検体トレー毎の優先度を設定することを特徴とする検体検査自動化システム。
【発明の詳細な説明】
【技術分野】
【０００１】
本発明は、臨床検査において血液や尿等の検体を処理する検体検査自動化システムに関し、特に、検体投入時の検体の分類に関するものである。【０００２】
また本発明は、システム内にて異常が発生した場合の復帰処理作業を軽減する機能を備えた検体検査自動化システムに関する。
【背景技術】
【０００３】
検体検査自動化システムは、遠心分離、開栓、子検体分注、バーコード貼付け、子検体分類、などの処理を自動化するシステムである。検体検査自動化システムが取り扱う検体は血液（全血、血清、血漿）、尿、などの生体試料である。検体検査自動化システムに投入するときの検体の状態は様々であり、そのため処理内容も検体ごとに異なっている。【０００４】
実際の運用を例に挙げると、遠心分離の実施・未実施の検体が混在している状況や、優先処理を要するいわゆる緊急検体が突発的に入り込む場面、あるいは検体容器の種別により処理内容が異なるケースなど、それぞれの運用に応じて検体ごとに内容の異なる処理を施す必要がある。【０００５】
このニーズに対し、従来から、複数の検体を架設できる検体ラックによる搬送方法を採用し、当該ラックに情報を持たせる運用を行っている。ラックに付した識別子の番号の範囲やラックの色あるいは形状に、検体の種類(検体種別の識別、一般/キャリブレータ/精度管理の区別)や処理内容などの情報を化体するという方法を通して検体を自動的に分類し、前述の多様な状況に対応している。【０００６】
例えば、特開平１１−０８３８６６号公報（特許文献１）では、緊急検体を載せるラックに専用の番号を付し、ラックから読み取る搬送情報に基づいて必要な搬送先に搬送している。また、特開平１１−３０４８１２号公報（特許文献２）には、ラックの識別子の読み取りエラーが生じたときの対応方法について記載されている。【０００７】
また、血液や尿等の検体が入った容器は、ラックや検体容器ホルダーなどと呼ばれる検体を搬送するためのコンテナに積載し検体検査自動化システムに供給される。この検体は、測定する検査項目および前処理内容により、遠心分離処理し、容器の栓を外す開栓処理、用途に応じてこの検体を１つ以上の別の容器へ取り分ける処理すなわち親検体から子検体容器への分注処理、子検体容器にバーコードラベルを貼り付ける処理、子検体容器に栓をする閉栓処理、親検体や子検体をその後の処理に応じて仕分ける分類収納処理、子検体ラックを自動分析装置へ搬送して子検体を分析測定する処理等が実施される。これらの各処理の機能を有する装置が複数の搬送ラインによって結び付けられ検体検査自動化システムを構成する。【０００８】
このような検体検査自動化システムは例えば特開平７−１６７８６６号公報（特許文献３）に記載されている。【０００９】
また、検体検査自動化システムは検査室内の繰り返し作業を大幅に自動化することで、検査室作業者をより付加価値の高い作業へシフトすることに貢献している。このシステムを操作するにあたって、今でもまだ、完全に自動化できていない部分がいくつかある。代表的なものとしては、消耗品の供給，検体の出し入れ、異常発生時の復帰処理があげられる。【００１０】
検体に対する処理の過程で異常が発生した場合、異常が発生した検体を正常な検体と区別してシステム外に取り出す必要がある。特開２００９−２２２５３５号公報（特許文献４）では、自動分析装置上で検体搬出先を運用に合わせてカスタマイズすることで、作業効率を向上させている。特開２００９−３６６４３号公報（特許文献５）では、検体トレーに検体を搬出するにあたり患者ごと病棟ごとといった検体の種類ごとに搬出パターンを制御し、検体の取り扱いやすさを向上させている。
【先行技術文献】
【特許文献】
【００１１】
【特許文献１】特開平１１−０８３８６６号公報
【特許文献２】特開平１１−３０４８１２号公報
【特許文献３】特開平７−１６７８６６号公報
【特許文献４】特開２００９−２２２５３５号公報
【特許文献５】特開２００９−３６６４３号公報
【発明の概要】
【発明が解決しようとする課題】
【００１２】
ところで、現在、検体ラックによる搬送システムのみならず、検体を１本だけ架設する検体ホルダーによる搬送システムも普及している。この搬送システムでは、検体をラックにまとめる必要がないことや、ラックの充填を待つことによる処理の遅延や引き連れ搬送を回避できることなど、検体の個別処理にとっての利点がある。【００１３】
しかしながら、この搬送システムは、そのままでは大量処理には向いていない。そのため、処理能力の低下を防ぐため、従来、ラックに代る手段として、検体投入部に複数検体の架設が可能な検体トレーを採用している。また、特許文献１、２に記載されているような従来のラックによる搬送システムで行っているような検体トレーの使い分けはしていない。そのため、個々の検体について、操作部の画面を通して検体および処理方法などの検体に関する情報を詳細に入力しなければならず、操作者の負担は大きいものとなる。【００１４】
このように、従来では、検体を１本だけ架設する検体ホルダーによって搬送するシステムにおいて、検体を投入する際に検体ごとに関係する情報を入力する作業が必要となるという問題があった。【００１５】
また、通常、前処理が終わった親検体は分類処理で分類されて所定のトレーにセットされるか、親検体を搬送するためのコンテナがラックなどの場合、ラックに架設されたまま親検体が収納される。【００１６】
検体検査自動化システムの上位システムである、検査室情報システム（Laboratory Information System、以下ＬＩＳと略す）から、再検や検査項目の追加が指示されると、検体検査自動化システムに備わっている操作部のモニタを用いて親検体の現在位置を検索し、探しあてた場所から手操作でトレーから親検体を、または親検体を架設したラックを取り出し、再度投入部へ投入することで運用される。ただし、親検体の収納場所には多数の検体容器、検体ラックが並んでおり、手操作で目的の親検体または親検体を架設したラックを取り出す作業は、煩雑で非効率であるだけでなく、検体を取り違えるなどの人為的なミスを誘発する可能性がある。また、検体に直接触れることによる感染のおそれも考えられる。【００１７】
さらに、従来のシステムでは異常な検体の搬出先が固定されていたため、システムレイアウトによっては異常検体の搬出場所と復帰処理後の搬入場所が遠く離れてしまい、作業者の移動距離が長くなり、作業効率が低下することがあった。【００１８】
検体検査自動化システム内で、何らかの異常が発生した検体の復帰処理作業を行う場合、現在の検体検査自動化システムでは、どのような復帰処理をすべきか知るために、操作者は画面または帳票を参照しなければならなかった。【００１９】
また、異常な検体が発生した場合、各種処理部と異常検体の搬出場所が離れている装置構成において、異常が発生した直後にアラームを発生させると、異常な検体が搬出先に到着するよりも先に、操作者が搬出場所に来てしまい操作者が待たされてしまうことがあった。【００２０】
上記問題点に鑑み、本発明の目的の一つは、画一化した検体の認識方法を提案し、操作者の作業量を軽減し、検体ごとにそれぞれに必要な処理を停滞なくかつ正確に行うことができる検体検査自動化システムを提供することにある。【００２１】
本発明の他の目的は、システム利用者である検査技師の手操作による検体の取り違えを防止し、更に感染リスクの回避を図りながら、簡便な操作を実現した検体検査自動化システムを提供することにある。【００２２】
本発明の前記ならびにその他の目的と新規な特徴は、本明細書の記述および添付図面から明らかになるであろう。
【課題を解決するための手段】
【００２３】
本願において開示される発明の概要を簡単に説明すれば、次の通りである。【００２４】
すなわち、複数の検体の架設が可能な検体トレーを用意し、検体トレーは、検体トレーを識別するための識別子が付属し、検体投入部は、検体トレーに付属した識別子を読み取る識別子読取装置を有し、操作制御部は、識別子読取装置で読み取った検体トレーに付属した識別子に基づいて、検体トレーに架設された検体に関する情報を切り替えて制御を行うものである。上記他の目標を達成するための本発明の概要を説明すると、以下の通りである。【００２５】
すなわち、検体を投入する投入部と、検体を前処理する処理部と、前処理が終わった検体を収納する収納部と、投入部，処理部，収納部の間で検体を搬送する検体搬送ラインと、投入部と処理部と収納部を制御する操作部とを備える検体検査自動化システムにおいて、投入部と収納部とで共通で使用できるトレーを用い、前記トレーはトレー自身およびトレーに架設された検体に関する識別情報を記憶する識別子を備え、前記識別子と無線通信などの手段により識別情報を読み書きする装置を投入部と収納部とに設置し、前記収納部でトレーを取り出す操作を行ったとき、トレーに架設された検体に関する最新の識別情報と少なくとも該トレーの利用状況を識別子に書き込む機構を備え、前記投入部でトレーを投入する操作を行ったとき、トレーに架設された検体に関する識別情報と少なくとも該トレーの利用状況を識別子から読み取る機構を備え、前記投入部および収納部との通信手段をもち、該通信手段による識別情報の授受の結果、投入部および収納部へ各種指示を送る制御処理をもつ操作部を備え、前記操作部には、前記収納部から取り出したトレーに再検や検査項目の追加がある検体が架設されていることを検査技師に通知する機能を備え、前記操作部には、前記投入部へ投入したトレーに再移載すべき検体が架設されていないことを検査技師に通知する機能を備えていることを特徴とする検体検査自動化システムである。また、本願において開示される他の発明の概要を説明すれば以下の通りである。【００２６】
すなわち、異常検体の搬出先をレイアウトや運用に合わせて自由に設定できる仕組みを設けることとする。これにより、検査室内の作業机の位置、手作業による復帰処理が終了した後の再搬入場所までの移動距離などを考慮したレイアウトおよびワークフローが実現できる。【００２７】
また、異常検体の種類や復帰処理方法ごとに搬送先を区別する仕組みを設けることとする。これにより、搬出先から異常の種類や復帰方法がわかるため、復帰処理の際に操作者は画面や帳票を参照する必要がなくなる。【００２８】
また、異常通知のタイミングを異常検体が発生したタイミングではなく、異常検体が搬出されるタイミングに変える手段を設けることとする。【００２９】
なお、該システム利用施設である検査室の運用形態に合わせて、前記処理部には必要となる装置群を揃え、様々な処理に対応可能な検体検査自動化システムを構築することができる。本明細書においては、前記処理部の内訳に関する記載を省略するが、あらゆる処理装置について本発明の実施影響範囲を妨げるものではない。
【発明の効果】
【００３０】
本願において開示される発明によって得られる効果を簡単に説明すれば以下の通りである。【００３１】
すなわち、代表的なものによって得られる効果は、検体を架設する検体トレーに付属する識別子に基づいて検体情報を切り替えることで、検体ごとに内容の異なる処理を個別に施すことが可能となる。操作者は、一度、検体トレーに付随した識別子と検体に関する情報をリンクした情報を登録すれば、以後の運用では検体ごとに処理内容を毎回入力する作業は不要となる。また、操作者が任意に運用方法を設定できる機能を持たせたことにより、検査室の個別の環境に適応した運用を行うことが可能となる。【００３２】
本願において開示される他の発明によって得られる効果は以下の通りである。【００３３】
すなわち、検体検査自動化システムにおいて、手操作による検体の取り違えを防止し、更に感染リスクの回避を図りながら、簡便な操作性を実現することができる。【００３４】
また、本発明によれば、搬出先も検査室ごとのレイアウトや運用に合わせてカスタマイズできるので、作業者の移動ルートを最適化し、作業効率を向上させることができる。【００３５】
また、種類や復帰処理方法ごとに異常検体の搬出先が分類されているため、操作者は画面や帳票を参照することなく、異常検体を手にした時点で直ちに復帰作業に取り掛かることができる。【００３６】
さらに、作業者が異常検体の搬出先に到着したときには、必ず異常検体は到着済みなので、無駄な待ち時間が発生しない。【００３７】
以上の組み合わせにより、本発明による検体検査自動化システム上での異常検体に対する復帰作業は、より円滑に実施することができるようになる。さらに、参照作業がなくなるため、作業ミス低減の効果も期待できる。
【図面の簡単な説明】
【００３８】
【図１】本発明の一実施の形態に係る検体検査自動化システムの全体構成を示す構成図である。
【図２】本発明の一実施の形態に係る検体検査自動化システムの検体投入部の構成を示す構成図である。
【図３】本発明の一実施の形態に係る検体検査自動化システムの検体トレーの一例を示す図である。
【図４】本発明の一実施の形態に係る検体検査自動化システムの検体ホルダーの一例を示す図である。
【図５】本発明の一実施の形態に係る検体検査自動化システムの検体の一例を示す図である。
【図６】本発明の一実施の形態に係る検体検査自動化システムのトレーに識別子を付属する方法を説明するための説明図である。
【図７】本発明の一実施の形態に係る検体検査自動化システムのトレーに識別子を付属する方法を説明するための説明図である。
【図８】本発明の一実施の形態に係る検体検査自動化システムの場所に情報を持たせる方法を説明するための説明図である。
【図９】本発明の一実施の形態に係る検体検査自動化システムのトレーを論理的に区画化する方法を説明するための説明図である。
【図１０】本発明の一実施の形態に係る検体検査自動化システムの設定画面の第１階層画面の一例を示す図である。
【図１１】本発明の一実施の形態に係る検体検査自動化システムの設定画面の第２階層画面の一例を示す図である。
【図１２】本発明の一実施の形態に係る検体検査自動化システムの設定画面の第３階層画面の一例を示す図である。
【図１３】本発明の一実施の形態に係る検体検査自動化システムの設定画面の第３階層画面の一例を示す図である。
【図１４】本発明の一実施の形態に係る検体検査自動化システムの設定画面の別の第２階層画面の一例を示す図である。
【図１５】本発明の一実施の形態に係る検体検査自動化システムの設定画面の別の第３階層画面の一例を示す図である。
【図１６】本発明の一実施の形態に係る検体検査自動化システムのトレーの一例を示す図である。
【図１７】本発明の一実施の形態に係る検体検査自動化システムのトレーの一例を示す図である。
【図１８】本発明の検体検査自動化システムの一実施形態を採用したオンラインシステムの一構成例を表すブロック図である。
【図１９】投入部および収納部の内部構造例を示す図である。
【図２０】投入部および収納部の内部構造例を示す図である。
【図２１】投入部で再検や追加検査を優先させるための判断処理を示すフローチャートである。
【図２２】複数台からなる検体検査自動化システムの連携例を示す模式図である。
【図２３】５×１０本トレーを真上からみた状態例を示す図である。
【図２４】操作部に表示する収納部トレー設定パラメータ画面例を示す図である。
【図２５】操作部に表示するトレー情報初期化画面例を示す図である。
【図２６】操作部に表示するトレー有効期日パラメータ画面例を示す図である。
【図２７】本発明の一実施形態である検体検査自動化システムの全体概略図である。
【図２８】検体投入部の構成図である。
【図２９】分類部の構成図である。
【図３０】異常検体の種類と搬出先の設定例である。
【図３１】システム全体から見た図３０による異常検体の搬出先の例を示す図である。
【図３２】検体トレー内の図３０による異常検体の搬出先の例を示す図である。
【図３３】分注失敗時の異常検体搬出例を示す図である。
【図３４】２種類の異なる検体が動的に検体トレーを共有する例１を示す図である。
【図３５】２種類の異なる検体が動的に検体トレーを共有する例２を示す図である。
【図３６】穴が一列もしくは一行ごとにずれた配置の検体トレーの例を示す図である。
【図３７】一列以上あけて２種類の異なる検体が動的に検体トレーを共有する例を示す図である。
【発明を実施するための形態】
【００３９】
以下、本発明の実施の形態を図面に基づいて詳細に説明する。なお、実施の形態を説明するための全図において、同一の部材には原則として同一の符号を付し、その繰り返しの説明は省略する。
【００４０】
＜１．システム概要＞
図１〜図５により、本発明の一実施の形態に係る検体検査自動化システムの構成について説明する。図１は本発明の一実施の形態に係る検体検査自動化システムの全体構成を示す構成図、図２は本発明の一実施の形態に係る検体検査自動化システムの検体投入部の構成を示す構成図、図３は本発明の一実施の形態に係る検体検査自動化システムの検体トレーの一例を示す図、図４は本発明の一実施の形態に係る検体検査自動化システムの検体ホルダーの一例を示す図、図５は本発明の一実施の形態に係る検体検査自動化システムの検体の一例を示す図である。
【００４１】
図１において、検体検査自動化システム１は、検体投入部１０、遠心部２０、開栓部３０、バーコード貼付部４０、分注部５０、閉栓部６０、分類部７０、検体収納部８０、搬送部２、および、検体検査自動化システム１全体の操作および制御を行う操作制御部（操作用パソコン）９０から構成されている。なお、図１に示す構成は一例であり、ここで示した配置に限定する意図はない。
【００４２】
検体投入部１０では検体を検体検査自動化システム１内に投入し、遠心部２０では投入された検体に対して遠心分離を行う。開栓部３０では、遠心分離された検体の栓を開栓し、分注部５０では、遠心分離された検体を、外部の分析装置などで分析するために小分けする。バーコード貼付部４０では、その小分けの容器にバーコードを貼り付ける。
【００４３】
閉栓部６０では、検体に栓を閉栓し、検体収納部８０では、閉栓された検体を収納する。分類部７０では、分注された検体容器の分類を行う。
【００４４】
図２において、検体投入部１０は、主に、搬送部２、トレー収納部１１０（１１０ａ、１１０ｂ）、検体トレー１２０、アーム１３０、検体ホルダー１４０の要素から構成され、検体トレー１２０には検体（試験管／採血管）１５０が架設されている。
【００４５】
図２においては、トレー収納部１１０は、トレー収納部１１０に検体トレー１２０が収納されている状態を１１０ａで示し、トレー収納部１１０に検体トレー１２０が収納されていない状態を１１０ｂで示している。
【００４６】
検体トレー１２０は図３に示すように、複数の検体収納用孔１２１が設けられている。また、検体ホルダー１４０は図４に示すように、土台１４１、外壁１４２、支え１４３から構成されている。また、検体１５０は、図５に示すように、例えば、バーコード１５１などの識別子が貼られている。
【００４７】
搬送部２は経路に沿って、図４に示す検体ホルダー１４０を搬送する。本実施の形態では図２の矢印２１の方向に搬送する。トレー収納部１１０（１１０ａ、１１０ｂ）には検体トレー１２０を収納する。トレー収納部１１０（１１０ａ、１１０ｂ）の底の部分には、センサー（識別子読取装置）１１１が設置されている。
【００４８】
また、図２では示していないが、検体トレー１２０の底には識別子が付属しており、設置と同時にこの識別子をセンサー（識別子読取装置）１１１で読み取る仕組みが施されている。
【００４９】
なお、識別子には、一次元バーコードや、二次元バーコード、あるいはＲＦＩＤ等を採用する。
【００５０】
検体トレー１２０には、図３に示すように、検体収納用孔１２１が複数個設置されており、最大孔の個数分の検体１５０が架設可能である。アーム１３０にはベルトが設置されており、モーター（１３１、１３２）を通して縦横上下の運動が可能である。
【００５１】
操作者は、識別子が付いた検体１５０を、検体トレー１２０に架設し、検体投入部１０にセットする。セットしたことを信号として装置による自動処理が開始する。検体投入部１０は、アーム１３０で検体トレー１２０上の検体１５０をピックアップし、搬送部２上に準備された検体ホルダー１４０に架設する。
【００５２】
検体ホルダー１４０には、図４に示すような環状の土台１４１が付いており、これによりはみ出すことなく搬送部２上を移動できる。また、外壁１４２の径は固定値であるが、径の異なる検体１５０を架設できるよう、支え１４３が付いている。
【００５３】
以下、検体１５０は、検体ホルダー１４０に乗り、例えば、遠心部２０、開栓部３０、バーコード貼付部４０、分注部５０、閉栓部６０、分類部７０、検体収納部８０、と順に進み、それぞれの部分での各処理が施される。
【００５４】
なお、検体投入部１０で検体１５０をピックアップするときは、検体トレー１２０ごとに、左奥から右手前に沿って各検体収納用孔１２１を順番に探査し、所定数以上の検体収納用孔１２１について連続で検体１５０が検知されない場合、該検体トレー１２０には検体１５０が無いものとみなして次の検体トレー１２０の探査を行うこととする。また、検体投入部１０の上面からカメラを設置し、検体１５０の存在する検体収納用孔１２１を自動で認識する機能を設置する方法も有効である。
【００５５】
＜２．検体に関する情報の切り替えと運用方法＞
次に、図６〜図９により、本発明の一実施の形態に係る検体検査自動化システムの検体に関する情報の切り替えと運用方法について説明する。図６および図７は本発明の一実施の形態に係る検体検査自動化システムのトレーに識別子を付属する方法を説明するための説明図、図８は本発明の一実施の形態に係る検体検査自動化システムの場所に情報を持たせる方法を説明するための説明図、図９は本発明の一実施の形態に係る検体検査自動化システムのトレーを論理的に区画化する方法を説明するための説明図である。
【００５６】
検体の処理の過程は、検体種別、緊急度などの情報から決まる。また、患者検体のみならず、システムを管理するための検体として、キャリブレータや精度管理試料もあり、これらを識別してシステムに認識させることが重要である。
【００５７】
本実施の形態では、上述の検体の種類を識別して、処理内容等の検体に関する情報を次の方法で検体検査自動化システムに認識させる。
【００５８】
まず、操作者は、上述した全ての作業の前提として、予め識別子と検体に関する情報をリンクさせ、その情報を操作制御部９０から入力して登録する。本作業の内容は、検体検査自動化システムの購入時またはメンテナンス時に一度入力すればよいものとし、検体検査自動化システムの電源を落としても保存されるものとする。また、当該情報は一度登録してしまえば、その後変更をしない限り、設定に従った一定の運用がなされるものとする。
【００５９】
（１）検体トレー１２０に識別子を付属する方法
（ｉ）検体トレー１２０に２桁の数値からなる識別子を付属する方法
検体トレー１２０に２桁の数値からなる識別子を付属する方法としては、図６に示すような、識別子１６４と検体の種類１６２と処理に関する処理情報１６３とをリンク付けた表１６１に基づいて、識別子を検体トレー１２０に付属させる。
【００６０】
ここでは、検体の種類１６２に血清、血漿、尿を、また、処理情報１６３にルーチン（通常）処理、遠心分離処理の必要性、開栓の必要性、緊急性（優先性）をそれぞれ挙げている。対応する識別子の番号の範囲を識別子１６４の領域に記した。
【００６１】
図６に示す表は操作者またはサービスマンが任意に設定・変更することが可能であり、それぞれの検査室における事情を勘案して決めるものとする。例えば、扱う対象を血液分析に特化しているような検査室では、「尿」に関する縦の部分を全て「０−０」として血液に関するもののみ選択できるように設定できる。
【００６２】
また、遠心分離が既にされている検体のみを扱う検査室では、「ルーチン」に関する横の部分を全て「０−０」とする。対応させる識別子の値の範囲は、扱う検体数の情報を基に設定すればよい。
【００６３】
次に識別子と処理内容をリンクさせ、当該内容を検体検査自動化システムに登録する。例えば、識別子の値が４１から４９であるトレーについては、架設した検体は既に遠心分離がされているため遠心部をスキップする処理をするものと登録する。あるいは、識別子の値が５１から５９であるトレーについては、架設した検体はキャップが付いていないため開栓部をスキップするものと登録する。また、識別子の値が９１から９９であるトレーについては、緊急検体であり第一優先で処理するものと登録する。
【００６４】
操作者は、自身が設定した内容に従い、適切な検体トレー１２０に検体１５０を架設するだけでよい。例えば、既に遠心分離がされている検体１５０や遠心分離が不要な検体１５０で、かつ、全血の検体１５０は、識別子の値が４１から４４の検体トレー１２０に検体１５０を架設する。あるいは、キャップが付いていない尿の検体１５０は、識別子の値が５８または５９の検体トレー１２０に検体を架設する。また、緊急の検体１５０は識別子の値が９０番台の検体トレー１２０に架設する。
【００６５】
次に、検体投入部１０の、検体トレー１２０が架設されていないトレー収納部１１０ｂに検体を架設した検体トレー１２０をセットする。検体トレー１２０が検体投入部１０にセットされたことを示す信号をトリガーとして処理が開始する。
【００６６】
まず、初めに、トレー収納部１１０ｂの底にある識別子読取装置１１１は、検体トレー１２０の識別子を読み取る。検体検査自動化システム１は、読み取ったトレーの識別子の情報とピックアップした検体の位置情報から、予め登録された内容に基づいて、検体１５０ごとに処理内容を認識する。
【００６７】
例えば、識別子が４１から４４の検体トレー１２０からピックアップした検体１５０は、遠心部をスキップして処理される。あるいは、識別子が５８または５９である検体トレー１２０からピックアップした検体１５０は、開栓部をスキップして処理される。また、識別子が９０番台の検体トレー１２０に架設した検体は、最優先で処理される。
【００６８】
以上のように運用することで、個別に検体の情報を検体検査自動化システムに入力することなく、画一的に処理することが可能となる。
【００６９】
（ｉｉ）検体トレー１２０に複数桁の数値からなる識別子を付属する方法
検体トレー１２０に複数桁の数値からなる識別子を付属する方法としては、図７に示すような、複数桁の数値のそれぞれの桁に検体の種類や処理などを関連づけた表１７０に基づいて、識別子を検体トレー１２０に付属させる。図７に示す例では、７桁の数値からなる例を示している。複数桁の数値を用いることにより、詳細の設定が可能となる。
【００７０】
図７に示す各桁の数字に検体に関する情報を持たせる。例えば、１桁目１７１には検体の種類を、２桁目１７２には遠心処理の必要性を、３桁目１７３には開栓処理の必要性を、４桁目１７４には閉栓処理の必要性を、５桁目１７５には搬送先の情報を、６桁目１７６には処理の優先度に関する情報を、７桁目１７７には検体の容器の形状（容器の種類）に関する情報を、それぞれ持たせている。
【００７１】
この各設定項目は任意に選択でき、また内容は任意に設定することが可能であり、それぞれの検査室における事情を勘案して決めるものとする。
【００７２】
次に識別子の各桁の数値と処理内容や種類などをリンクさせ、図７に示す内容を検体検査自動化システムに登録する。
【００７３】
そして、設定内容に従い適切な検体トレー１２０に検体１５０を架設する。次に、検体投入部１０のトレー収納部１１０ｂに検体が架設された検体トレー１２０をセットする。
【００７４】
検体トレー１２０がセットされると、識別子読取装置１１１を通して検体トレー１２０の識別子を読み、これをトリガーにして処理が開始する。検体検査自動化システム１は、読み取ったトレーの識別子の情報とピックアップした検体の位置情報から、予め登録しておいた前記内容に基づく処理内容を認識することができる。このようにして検体ごとに適切な処理を行う検体検査自動化システムが提供できる。
【００７５】
また、これらの操作に対して、操作者の人的ミスの介在を回避するために、識別子の記号だけでなく文字による表示も必要に応じて加える方法も有効である。また、トレーを色付けすることも、間違い防止に有効な手段である。
【００７６】
さらに、図６、図７で示した具体例の他に、患者から採取する一般検体と、システムを管理するキャリブレータや精度管理試料を区別する方法を取り入れる方法も有効である（図１６）。
【００７７】
また、同じ患者から複数本の採血管で採取した検体を投入するとき、2本目の検体について、通常の必須機能である重複チェックを省略する処理過程を設ける方法も有効である。そして、２本目の検体と再検の検体を区別する仕組みを取り入れることも有効である（図１７）。
【００７８】
あるいは、手動で分注した子検体を直接システムに投入できる方法を取り入れることも有効である（図１７）。
【００７９】
（２）場所に情報を持たせる方法
（ｉ）検体トレー１２０の配置場所に情報を持たせる方法
検体トレー１２０の配置場所に情報を持たせる方法としては、検体投入部１０における検体トレー１２０の設置場所と処理内容とを対応させるようにしており、例えば、図８に示すように、８つのトレー配置場所に対して領域を５つ（１８１〜１８５）に区画化している。
【００８０】
区画数と面積は、対応する処理内容・処理数に応じて任意に指定することが可能であり、使用する病院や検査センターの事情を考慮して設定すればよい。
【００８１】
次に、検体トレー１２０における場所と処理内容をリンクさせて登録する。例えば、最も面積の大きい領域１８１には、検体検査自動化システムに最も多く投入する種類の検体１５０を対応させる。実際、患者から採取した全血の血液から血清を分離し分注（小分け）する一連の処理は、多くの検査室で頻繁に行う処理である。領域１８１にセットした検体１５０には「ルーチン処理」として処理を行うと登録する。
【００８２】
また、血液の成分分析を受託するような大型の検査センターでは、遠心分離がされている検体１５０を扱うことがある。領域１８２を遠心分離済みの検体１５０をセットする領域とし、領域１８２に置かれた検体は遠心分離処理をスキップすると登録する。同様にして、キャップの無い検体１５０を扱う領域１８３、尿等血液外の検体１５０を扱う領域１８４、緊急検体を扱う領域１８５を確保し、それぞれの処理内容（例えば開栓部をスキップする、最優先で処理するなど）を登録する。
【００８３】
操作者は、自身が設定した内容に従い、検体トレー１２０上の適切な場所に検体１５０を架設するだけでよい。例えば、全血検体は領域１８１に、遠心分離が不要な検体１５０は領域１８２に、キャップ無検体は領域１８３に、尿検体は領域１８４に、緊急検体は領域１８５に、それぞれ架設する。
【００８４】
検体１５０を架設したことをトリガーとして処理が開始する。検体検査自動化システム１は、ピックアップした検体１５０の検体トレー１２０における位置情報から、予め登録しておいた内容に基づいて、検体１５０ごとに処理内容を認識する。
【００８５】
例えば、領域１８１の検体トレー１２０に架設された検体１５０にはルーチン処理を行う。また、領域１８２の検体トレー１２０に架設された検体は遠心部をスキップする。また、領域１８３の検体トレー１２０に架設された検体は開栓部をスキップする。また、領域１８４の検体トレー１２０に架設された検体は最優先で処理される。
【００８６】
なお、ここでは検体１５０の種類による対応を示したが、キャップの形状の違い、処理内容の違い、などをキーとする使い分けをしてもよい。
【００８７】
以上のように運用することで、個別に検体の情報を検体検査自動化システムに入力することなく、画一的に処理することが可能となる。
【００８８】
（ｉｉ）検体トレー１２０を論理的に区画化する方法
検体トレー１２０を論理的に区画化する方法としては、検体トレー１２０を論理的に区切り、各位置に処理内容と対応させるようにしており、例えば、図９に示すように、検体トレー１２０を４つ（１８６〜１８９）に区画化している。
【００８９】
区画数と面積は、対応する処理内容・処理数に応じて任意に指定することが可能であり、使用する病院や検査センターの事情を考慮して設定すればよい。
【００９０】
次に、検体トレー１２０内の区画における場所と処理内容をリンクさせて登録する。例えば、領域１（１８６）にセットした検体１５０には「ルーチン処理」として処理を行うと登録する。また、領域２（１８７）を遠心分離済みの検体１５０をセットする領域とし、領域１８７に置かれた検体は遠心分離処理をスキップすると登録する。同様に、領域３（１８８）を尿の検体１５０を扱う領域、領域４（１８９）を緊急検体を扱う領域として登録する。
【００９１】
以上のように運用することで、個別に検体の情報を検体検査自動化システムに入力することなく、画一的に処理することが可能となる。さらに、検体トレー１２０を複数の区画に分けることにより、より細かい区分を行うことが可能となる。
【００９２】
なお、検体トレー１２０を論理的に区画化する方法では、検体トレー１２０の配置場所に情報を持たせる方法と併用し、検体トレー１２０の特定の配置場所では、検体トレー１２０を論理的に区画化するようにしてもよい。
【００９３】
＜３．設定画面＞
次に、図１０〜図１５により、本発明の一実施の形態に係る検体検査自動化システムの設定画面の一例について説明する。図１０〜図１５は本発明の一実施の形態に係る検体検査自動化システムの設定画面の一例を説明するための画面の一例であり、図１０は設定画面の第１階層画面の一例、図１１は設定画面の第２階層画面の一例、図１２および図１３は設定画面の第３階層画面の一例、図１４は設定画面の別の第２階層画面の一例、図１５は設定画面の別の第３階層画面の一例を示している。
【００９４】
操作者は、図１０〜図１５に示すような設定画面を通して前述した、さまざまな内容を設定することができる。
【００９５】
まず、設定画面の第１階層としては、図１０に示す設定画面２０１となる。この設定画面２０１は、トレーの識別子に情報を持たせるボタン（（１）検体トレー１２０に識別子を付属する方法を選択するボタン）２０２と、投入部のトレー配置位置に情報を持たせるボタン（（２）場所に情報を持たせる方法を選択するボタン）２０３からなる。
【００９６】
（ｉ）検体トレー１２０に識別子を付属する方法を選択するボタン２０２を選択する場合
ボタン２０２を押下すると、図１１に示すような設定画面の第２階層の設定画面２１１が表示される。第２階層の設定画面２１１は、初期化ボタン２１２、設定ボタン２１３、詳細ボタン２１４、設定内容を表示する表２１５の要素から構成されている。
【００９７】
このうち、初期化ボタン２１２を押下すると、表示されている表の数値部分が全てクリアされる。次に、設定ボタン２１３を押下すると、図１２に示すような第３階層の設定画面２２１が表示される。
【００９８】
第３階層の設定画面２２１は、上述した検体トレー１２０に２桁の数値からなる識別子を付属する方法で説明した内容について、入力セル２２２を介して数値を入力することができる。入力できる最大桁数は、検体検査自動化システムを使用する施設の規模により予め調整されていることとする。
【００９９】
必要項目を入力した後は、登録ボタン２２３を押下する。そうすると情報が検体検査自動化システムの内部に記憶され、図１１に示す第２階層の設定画面２１１に切り替わり、更新された内容が表２１５として表示される。
【０１００】
また、図１１に示す第２階層の設定画面２１１において詳細ボタン２１４を押下すると、例えば、図１３に示すような別の第３階層の設定画面２２４が表示され、上述した検体トレー１２０に複数桁の数値からなる識別子を付属する方法で説明した内容の設定が可能となる。入力セル２２５を通して設定したい数値を入力し、必要項目の入力を終えた後は登録ボタン２２６を押下すると検体検査自動化システムの内部で情報が更新される。
【０１０１】
（ｉｉ）場所に情報を持たせる方法を選択するボタン２０３を選択する場合
ボタン２０３を押下すると、図１４に示すような、もう１つの第２階層の設定画面２３１が表示される。この設定画面２３１では、上述した検体トレー１２０の配置場所に情報を持たせる方法で説明した内容の設定を行う。設定画面２３１は、検体１５０の種類を入力するボタン２３２、検体トレー１２０のアイコン２３３、登録ボタン２３４、詳細ボタン２３５からなる。
【０１０２】
検体トレー１２０のアイコン２３３は、検体投入部１０におけるトレーと同じ配置で表示されている。本実施の形態では、検体投入部１０でのトレーは８つであるため、アイコンも８つ用意している。選択するアイコンを選択するとアクティブな状態となる。次に、検体１５０の種類を入力するボタン２３２を選択して押下する。例えば、左端の上のトレーを緊急検体用に設定するときは、左端上のアイコンをクリックしてアクティブとし、緊急検体ボタン（ボタン２３２の上から２つ目のボタン）を押下するとよい。
【０１０３】
なお、設定したアイコンはボタンと同じ色を表示することとする。必要な入力を終えた後は、登録ボタン２３４を押下する。また、アクティブな検体トレー１２０に対して、詳細ボタン２３５を押下すると、図１５に示すような第３階層の設定画面２３６に切り替わる。この設定画面２３６では、上述した検体トレー１２０を論理的に区画化する方法で説明した内容の設定を行う。
【０１０４】
ここでは、アクティブとしたトレーのアイコン２３７と検体収納用孔１２１を示すアイコン２３８を使って、検体収納用孔１２１全てについて検体の種類を登録することができる。各孔をアクティブとし、検体の種類を入力するボタン２３２から設定する内容を選択する。このとき、操作者の重複作業を低減するため、複数個同時に孔を選択できることとする。設定内容を検体検査自動化システムに反映するためには登録ボタン２３９を押下する。
【０１０５】
以上のようにして、従来、設定可能者がサービスマンのみに限られていた設定を、操作者が簡潔にできるようになった。なお、画面のデザインは、図１０〜図１５の設定画面に限られない。
【０１０６】
図１８は本発明の検体検査自動化システムの一実施形態を採用したオンラインシステムの一構成例を表すブロック図である。
【０１０７】
図１８に示したオンラインシステムは、検体を自動分析する自動分析装置２８０と、検体を分析に適した態様に前処理して自動分析装置２８０に供給する検体検査自動化システム２６０とを備えている。
【０１０８】
検体検査自動化システム２６０は、投入部２６１と、詳細な構成内訳を省略して図示している処理部２６２と、収納部２６３と、モニタ２６４とスピーカ２６５と各装置との通信手段２６６を備えた操作部２６７と、投入部２６１から処理部２６２，収納部２６３および自動分析装置２８０への検体を搬送する搬送ライン２６８と、を備えている。
【０１０９】
自動分析装置２８０は、図中「自動分析装置１」や「自動分析装置２」のように、搬送ライン２６８によって検体検査自動化システム２６０から自動的に検体が供給される態様の機種と、図中「自動分析装置ｎ」のように搬送ライン２６８で接続されていないため、手操作により検体を供給する態様の機種がある。
【０１１０】
操作部２６７は、ＬＩＳ２７０より依頼属性情報を受信して検体情報ＤＢ（データベース）を更新するとともに、通信手段２６６によって各装置の制御を行い、検体検査自動化システムにおいて発生したアラームなどの事象をモニタ２６４に画面表示し、スピーカ２６５で音声を発して検査技師に事象発生を通知する。
【０１１１】
投入部２６１は、前処理を行う検体を複数本架設したトレーを投入するモジュールであり、オンラインシステムの入り口に相当する。図示していないが、トレーから搬送経路へ検体をセットする機構を備える。搬送経路へセットされた検体は、図示していない識別情報読取手段（主に、バーコード読取装置など）で検体の識別情報を読み取り、操作部２６７へ伝達する。操作部２６７では、該検体の依頼属性情報が既に受付済みかどうか検体情報ＤＢを検索し、上位システムであるＬＩＳ２７０へ依頼属性情報が受付済みであるか否かを示す到着情報を送信する。操作部２６７で未依頼の場合には、ＬＩＳ２７０から該検体の依頼属性情報を操作部２６７へ送信する。この依頼属性情報により、処理部２６２で前処理すべき検査項目または自動分析装置２８０で分析測定すべき検査項目を受け取った場合、操作部２６７は投入部２６１に対し、搬送ライン２６８へ移載して処理部２６２へ搬送するよう指示を送る。
【０１１２】
図１８では詳しい内訳を省略しているが、処理部２６２は検査室の運用ニーズに応じ、種々の処理装置によって構成される。
【０１１３】
図１９および図２０は、投入部２６１および収納部２６３の一実施形態を示す内部構造例であり、トレー２７１にはそれぞれ識別子（不図示）としてＲＦＩＤタグを備え付けており、引出部２７２によって装置手前にスライドさせてトレー２７１を引き出す構造となっている。
【０１１４】
トレー架設台２７３には、トレー２７１が架設される位置ごとにアンテナ２７４を備え、トレー２７１に備え付けたＲＦＩＤタグと情報の授受を行う。なお、投入部２６１と収納部２６３とでは、ＲＦＩＤタグを備え付けたトレー２７１を共通して使用する。
【０１１５】
収納部２６３は、図示していないが、搬送ライン２６８からトレー２７１へ検体をセットする機構を備え、収納部２６３に設置したトレー２７１には、前処理が終了して収納部２６３へ搬送されてきた検体が搬送ライン２６８から移載されて架設される。
【０１１６】
収納部２６３のトレー２７１に架設された検体のうちいずれかに、ＬＩＳ２７０から再検および検査項目の追加が指示され、検体検査自動化システム２６０の操作部２６７へ伝達される。
【０１１７】
検査技師は収納部２６３から、検体が架設した状態のままトレー２７１を取り出す。この取り出し操作を行ったときをトリガとして（例えば、トレーにＲＦＩＤタグを具備し、トレーが架設される装置側にＲＦＩＤアンテナを設置し、アンテナからタグが移動を開始して離れた状態をもって、トリガとするなど）、収納部２６３に設置されたアンテナ２７４（ＲＦＩＤ送受信用アンテナ）では、該トレー２７１の識別情報をＲＦＩＤタグから受けて（ここでは、ＲＦＩＤタグ読書器を含めて、「アンテナ」と記す）記憶すると同時に収納部２６３から操作部２６７へ、取り出す該トレー２７１の識別情報を送信する。操作部２６７では前記識別情報より、該トレー２７１に架設されている検体に再検や検査項目の追加が指示されたものが含まれていると識別した場合に、検査技師に通知するためモニタ２６４で画面表示するとともに、スピーカ２６５で音声を発生する。
【０１１８】
検査技師はモニタ２６４とスピーカ２６５から発せられた通知を受けて該トレー２７１をそのまま投入部２６１へ設置する。このとき、投入部２６１に設置されたアンテナ２７４では、該トレー２７１の識別情報を読み取り、再検および検査項目の追加が指示された検体を識別して該トレー２７１から該検体だけを直ちに搬送ライン２６８へ移載する。
【０１１９】
なお、収納部２６３からトレー２７１を取り出した後で該トレー２７１の検体に対し再検および検査項目の追加が指示される場合もある。そのため、検査技師は収納部２６３から取り出して暫く時間が経過したトレー２７１についても再度投入部２６１へ投入する。しかし実際には再検および検査項目の追加がある検体が架設されていないトレーであったために搬送ライン２６８へ再移載すべき検体が無かった場合にも、操作部２６７では投入部２６１から送信された該トレー２７１の識別情報に基づき、これを検査技師に通知するためモニタ２６４で画面表示するとともに、スピーカ２６５で音声を発生する。
【０１２０】
これにより、取り出したトレー２７１のどの位置に再検や検査項目の追加が指示された検体があるかを検索する必要がなくなり、作業の簡略化と真正性を確保することができる。
【０１２１】
このとき、収納部２６３からトレー２７１を取り出した時に該トレー２７１に再検および検査項目の追加により再投入する検体が架設されていることを通知するための画面表示および音声と、投入部２６１へ投入しても該トレー２７１に再検および検査項目の追加により再投入する検体が架設されていないことを通知するための画面表示および音声とは、種類が異なるものとすることが望まれる。
【０１２２】
通常の臨床検査運用において、再検や検査項目の追加は、初回検査（一般検体であって、緊急扱いではないもの）より、優先度を高くして処理すべきである。そのことから、投入部２６１では各検体の投入状況を把握しつつ操作部２６７との連携により、最も効率的な搬送ライン２６８への検体の移載を実現する。
【０１２３】
図２１には、投入部２６１で前記処理を実現するための判断処理２９０を示す。投入部２６１には、図示していないが、トレーを架設する場所の他に、緊急扱いで検査実施を急ぐ検体（以下、緊急検体と記す）を手操作で架設して優先的に搬送ライン２６８へ供給する場所として、緊急検体架設部がある。この緊急検体架設部に架設された検体を最優先として処理し、緊急検体架設部に架設された検体が無くなってから、投入部２６１のトレー架設部にセットされたトレーから検体を移載する処理に移る（ステップ２９１，２９２）。
【０１２４】
このとき投入部にある全てのトレーおよびトレーに架設された検体の識別情報を総合的に判断して、再検および検査項目の追加が指示された検体が架設されている該トレーから再検および検査項目の追加が指示された検体だけを搬送ライン２６８へ移載する処理を先に行う（ステップ２９３，２９４）。
【０１２５】
次に初回検査（一般検体）の検体が架設されている該トレーから一般検体を搬送ライン２６８に移載する処理を行い、これらの処理２９０は装置が停止されるまで繰り返し行われる（ステップ２９５，２９６，２９７）。
【０１２６】
前記実施例では、検体検査自動化システム１台の中でトレー２７１を収納部２６３から投入部２６１へ再投入する運用について説明したが、複数の検体検査自動化システムを前記操作部が１台で制御する場合であっても複数の検体検査自動化システムで相互に、収納部２６３から取り出したトレー２７１を他の検体検査自動化システムの投入部２６１へ投入する運用をとることが可能となる。また複数の検体検査自動化システム夫々に操作部が設置されている場合であっても、各操作部間で適切に連携をとることにより同様の運用が可能となる。
【０１２７】
図２２には２台の検体検査自動化システム５０１と５０２を図示している。夫々の検体検査自動化システム５０１と５０２は操作部３０３と３０６を備えており、通信手段２６６を用いて適切に連携をとる。検体検査自動化システム５０１で前処理が終わった検体を架設したトレーを収納部３０２から取り出し、次の検体検査自動化システム５０２の投入部３０４へ投入することにより、検体検査自動化システム５０２で処理すべき前処理が実施される。
【０１２８】
なお、このような運用形態のように、２台目以降に位置付けされるシステムは前処理ではないので「後処理」システムと称される場合がある。
【０１２９】
前記実施例においては、複数の検体検査自動化システム間でのトレー受け渡しについて述べたが、前処理終了後のトレーを単体の装置（例えば自動分析装置）へ渡すことも、該単体の装置の側に識別情報を読み書きする装置を取り付けて識別情報を読み取ることで該情報を受け渡し、処理を継続することができる。
【０１３０】
該単体の装置としては、例えば自動分析装置の他に、単体で稼動する分注装置などが挙げられる。
【０１３１】
また他の実施例においては一般的に、所要本数分の検体を架設できるひとつのトレーは、ひとつの仕分け先グループとして用いられるのが通例だが、１日の処理検体全体のうち検査依頼される頻度が少ない検査項目に対応した検体については、検体数がトレーに架設できる全本数に満たない場合があり、そのような場合はトレー上の複数ポジションをある特定のエリアに区切って、仕分けグループをまとめる運用がとられることがある。
【０１３２】
図２３に一実施例として、５列×１０段で５０検体を架設できるトレー３１１を真上から見下ろした状態を示す。前記運用の例として破線３１２で囲んだように、左側３列をひとつのグループ、右側２列を別のひとつのグループの仕分け先として用いる。また、トレーを複数のエリアに区切る運用をとる場合には、トレー架設台２７３のうち検査技師がわかり易いように、例えば左側３列を赤色に、右側２列を青色に、という具合に該トレーを識別するための着色を行って専用トレーとし該トレーの架設位置を固定にする運用がよく見受けられる（トレー側を着色して区別し、トレー架設台の架設場所をユーザがわかり易くする運用を想定）。
【０１３３】
そこで本発明では、予め操作部に、架設台のトレー架設位置を示すセンサ位置情報（センサの図示なし）、設置するトレーの縦横サイズを示すトレー種別情報、および該センサ位置に設置されるトレーの識別子番号（トレーＩＤ）の範囲情報を操作部２６７にてパラメータ設定しておく。そして検査技師が専用とする該トレーが収納部の架設エリアに設置された場合に、トレーの識別子と前記パラメータとの合理性チェックを行い、不合理の場合にはモニタ２６４とスピーカ２６５とでアラームを発生し、架設したトレーの種類、およびトレーの架設位置が誤っていることを検査技師へ通知する。
【０１３４】
図２４にモニタ２６４にて表示される前記パラメータの表示画面例３２０を示す。詳しい説明は省略するが、破線部３２１に示すように、センサ位置が８である架設位置には、分割トレー３列×１０段と２列×１０段を使用することと、該当のトレーＩＤ範囲をパラメータ設定する。
【０１３５】
また他の実施例によれば、何らかの異常があって前処理を中断し回収した検体が、投入部２６１および収納部２６３に設置したトレー２７１に移載され、該異常内容により各トレー２７１の個々のエリアにまとめてセットされる。
【０１３６】
該異常内容には、分注エラーなどのように、該検体を手操作にて取り出し詰まり成分などの除去を施してからでないと再投入できない状態のものもあるが、定められた応答時間内にＬＩＳ２７０から依頼属性情報が送信されてこなかったというような到着確認タイムアウトエラー検体は処置不要でそのまま再投入できる状態である。
【０１３７】
このように処置不要でそのままリトライ再投入できる状態の検体も、事前に設定してある所定トレー２７１の所定エリアへまとめて移載し、各検体の識別情報は該トレー２７１の識別子へ記憶される。
【０１３８】
検査技師は該トレー２７１を投入部２６１または収納部２６３の所定位置から取り出し、投入部２６１へ再投入することにより、到着確認タイムアウトエラーで回収された検体が再度搬送ライン２６８へ移載される。
【０１３９】
このように再投入した結果、正常に依頼属性情報が送信されてきた検体はそのまま通常の前処理を行い、再び到着確認タイムアウトエラーとなった検体は、前記所定トレーのうち、到着確認タイムアウトエラーのエリアではなく、該当依頼なしのため処理不要のエリアへと仕分けて区別し、再投入は行わなくすることも運用方法として有効である。
【０１４０】
次の実施例では、トレー２７１の識別子に記憶した情報を初期化して、新規トレー２７１として新しい検体をセットする運用をとるため、操作部２６７では図２５に示すようなトレー情報初期化画面３２２を備える。ユーザは、使用後のトレー２７１に付された番号（不図示）を画面に入力後、該トレー２７１には新たな処理検体をセットして、投入部２６１へ投入することにより、該トレー２７１の識別子に記憶した情報を初期化して、トレー２７１を繰り返し運用する。または、画面で初期化を指示した該トレー２７１から処理検体を全て抜き取り、収納部２６３へ該トレー２７１をセットすることで、自動的に該トレー２７１の識別子に記憶した情報を初期化して、トレー２７１を繰り返し運用する。
【０１４１】
また他の実施例では、トレー２７１の識別子には該トレー２７１に親検体を収納した日付を記憶することと、トレー有効期日を設定するためのパラメータを予め備えて、操作部２６７では図２６に示すようなトレー有効期日パラメータ画面３２３によって該パラメータを、運用において最適な値をユーザにて設定可能とする。図２６に示すような画面例では、トレーＩＤ範囲ごとに、異なる有効期日を設定可能としている。トレー有効期日を超過したトレー２７１は、識別子に記憶した日付と当日日付による経過日数と、パラメータ設定値により、有効期日を超過したと判断することで、該トレー２７１の識別子に記憶した情報を自動的に初期化する。
【０１４２】
このように自動的に初期化がなされるため、事前に有効期日を経過しているとユーザが把握できているトレー２７１は、前記トレー情報初期化画面３２２を操作することなく、新たな処理検体を架設して直接投入部２６１へセットするか、または、処理検体を全て抜き取って収納部２６３へセットする運用をとることができるようになる。
【０１４３】
また他の実施例によれば、トレー２７１の識別子に該トレー２７１を「前回架設した場所」を記憶して、投入部２６１へ架設して検体の投入処理運用が終わって空になったトレー２７１を、再度投入部２６１へ架設するときには「新規」として扱い、一旦識別子に記憶した情報を初期化した後、再度架設情報を該識別子に記憶する。このような実施例では、投入部２６１への再架設を常に「新規」として扱うよう、運用における取り決めが発生するが、そのような取り決めを設けることによっては、トレー２７１の識別子を自動初期化することにより省力化を図ることができる。
【０１４４】
また、図示しないハードウェアであるＣＣＤカメラを使用して、収納部２６３へ架設するトレー２７１に検体が全く載っていないことを検知することにより、該トレー２７１の識別子に記憶した情報を自動的に初期化することができる。
【０１４５】
また、図示しないハードウェアである重量検知器を使用して、収納部２６３へ架設するトレー２７１に検体が全く載っていないことを検知することにより、該トレー２７１の識別子に記憶した情報を自動的に初期化することができる。
【０１４６】
以上の検体検査自動化システムの実施例によれば、次のような効果が得られる。
【０１４７】
検査技師が検体に直接触れる頻度を極力低く抑えるためトレーを取り扱うことにより、簡便な操作を実現し、人為的ミスである検体取り違えや検査結果報告の遅延を防ぐとともに、感染リスクをも回避することが可能となる。
【０１４８】
図２７は、本発明の一実施形態である検体検査自動化システムの全体概略図である。
【０１４９】
本実施例による検体検査自動化システム３５１は、検体投入部４１０，遠心部４２０，開栓部４３０，バーコード貼付部４４０，分注部４５０，閉栓部４６０，分類部４７０，検体収納部４８０，搬送部３５２，操作部４９０，システム制御部４９１、および、異常通知部４９２からなる。
【０１５０】
ここでは、検体が検体投入部４１０からシステム内に取り込まれた後に、遠心部４２０，開栓部４３０，バーコード貼付部４４０，分注部４５０，閉栓部４６０に立ち寄った後、分類部４７０もしくは検体収納部４８０に向かう。検体を処理する過程でなんらかの異常が発生した場合は、システム制御部４９１がこれを把握し、検体はシステム内の異常検体搬出先に搬出される。
【０１５１】
システムによっては分析装置が接続されており、この場合、検体の一部は分析装置へと搬送され、各種分析処理が施される。
【０１５２】
本実施例の検体検査自動化システム３５１は横長のシステムになることが多く、長さが十数メールにまで及ぶことがある。そのため、頻繁に発生する作業では移動する距離ができるだけ短いことが好ましい。本実施例では、操作者の負担を減らすため、異常検体の搬出先を複数ある中から自由に選択できることとし、作業者の移動距離をできるだけ短くすることを特徴としている。
【０１５３】
検体投入部４１０は、主に検体検査自動化システム３５１内に外部から検体を搬入することを主な目的に設置されるが、この実施例では、システム内の検体を外部に搬出する機能を持ち合わせるものとする。
【０１５４】
検体投入部４１０の構成を図２８で説明する。
【０１５５】
これからシステム内に投入する検体容器５５０をまとめて架設する第一の検体トレー５２０と、第一の検体トレー５２０を架設する第一の検体トレー架設部５１０、システム内から取り出された検体容器をまとめて架設する第二の検体トレー５２１と、第二の検体トレー５２１を架設する第二の検体トレー架設部５１１、検体を第一の検体トレー５２０から検体ホルダー５４０へ移動および検体ホルダー５４０から第二の検体トレー５２１へ移動させるアーム部５３０、搬送部３５２との間で検体ホルダー５４０を移動させるモジュール内搬送部４２１，識別子４２３を読み取る検体識別子読取部４２２により構成される。
【０１５６】
第一の検体トレー５２０と第二の検体トレー５２１は、ともに検体を保持するための支持体で、検体を保持するための穴が複数列並んで配置されている。図３２は、穴がｎ行、ｍ列の格子状に並んだ検体トレーの例である。図３６は、穴が一列もしくは一行ごとにずれた配置の検体トレーの例である。この場合はジグザグに並んだ穴を一つの行もしくは列と考えることで、格子状の検体トレーと同様な考え方で扱うことができるので、以降では格子状の検体トレーを例に説明する。各穴は、検体容器を差し込むためにあり、差し込まれた検体は転倒することなくほぼ直立して保持される。それぞれの穴は、標準的に使われる試験管の径９mm〜１７mmまでを直立保持するようにできており、異なる径の検体容器であっても、同一の検体トレー上に架設可能である。
【０１５７】
第一の検体トレー５２０は、検体投入部４１０から取り外し可能である。また、第一の検体トレー５２０は、これから処理する数十本から数百本程度の検体容器５５０を、検査室内の作業台の上でまとめて架設するのに都合がよい。
【０１５８】
操作者は、第一の検体トレー５２０を検査室の受付場所付近においておき、受付確認作業が終わった検体から逐次、第一の検体トレー５２０にセットしていく。ある程度検体がたまった時点で操作者は、第一の検体トレー５２０を検体投入部４１０の第一の検体トレー架設部５１０へとセットする。
【０１５９】
次に、アーム部５３０は操作者から向かって第一の検体トレー５２０奥側あるいは手前側のいずれか一方に架設された検体容器５５０から順に掴み上げ、モジュール内搬送部４２１上に待機する検体ホルダー５４０へと検体を移設する。
【０１６０】
検体容器５５０には他の検体と識別するための識別子４２３が貼付けてある。検体識別子読取部４２２は、検体ホルダー５４０が付近を通過するときに検体容器５５０に貼付けられた識別子４２３を読み取る。
【０１６１】
ここで、何らかの異常により検体の識別子４２３が読み取れない場合が発生する。検体の識別子４２３がバーコードラベルであれば、たとえばバーコードラベルの汚れや、印字不良、斜め張りや一部はがれといった貼付け不良、貼り忘れなどが考えられる。この場合、システム制御部４９１は検体容器５５０に対してどのような処理を施せばよいか判断ができない。そのため、システム制御部４９１はこの検体容器５５０を異常な検体として認識し、正常な検体と異なる場所へと搬送する。
【０１６２】
操作者は、異常検体の処理を継続するための復帰処理を施さねばならない。操作者は、検体の識別子４２３をバーコードプリンターで再度印刷・作成し、検体容器に貼直し、その検体を再度検体投入部４１０からシステム内へ投入する。
【０１６３】
システム制御部４９１は読み取られた検体容器５５０の識別子４２３の情報を元に、検体がどの処理モジュールに立ち寄ればよいか、どのような処理をしなければならないかを判断，決定しなければならない。そのために、システム制御部４９１は、検体の識別子情報をキーとして、検査室情報システムから検体に関する情報を入手する。しかし、なんらかの異常により検体に関する情報が入手できない場合が起こりうる。たとえば、検査室情報システム側で情報の返信が間に合わず、タイムアウトが発生した場合がそれにあたる。その場合、システム制御部４９１は、この検体を異常な検体として認識し、正常な検体と異なる場所へと搬送する。
【０１６４】
このような異常検体の復帰処理のひとつは、操作者が、操作部４９０から検体に関する情報を入力した後に検体を検体投入部４１０から再度投入することである。もうひとつの方法は、検査室情報システム側で異常に対する対応がとれた時点で、再度検体を検体投入部４１０から投入することである。
【０１６５】
次に、検体は、搬送部３５２を介して遠心部４２０に搬送される。遠心部４２０は、検体に対して遠心分離処理を施す。遠心部４２０は、遠心分離処理待ちの検体ホルダーが待機するための第一の検体ホルダーバッファ、遠心分離を施す検体が架設される遠心バケット、遠心分離処理が終了した後検体を架設するための空の検体ホルダーを待機させておく第二の検体ホルダーバッファ、および、検体を移動するための遠心アーム部からなる。
【０１６６】
ここで発生しうる異常のひとつは、遠心中断である。システム側に何らかの異常が発生し、それと連動して遠心分離処理が中断してしまうことである。その場合、システム制御部４９１はこの検体を異常検体と認識し、正常な検体と異なる場所へと搬送する。このような異常検体に対する復帰処理は、操作者が遠心分離の要否を判断し、遠心分離が必要な検体に対しては遠心分離処理をマニュアルで施すことである。操作者は、処理後の検体を再度検体投入部４１０から投入する。
【０１６７】
次に、検体は、搬送部３５２を介して開栓部４３０に搬送される。開栓部４３０は、検体を保護するためにつけてある栓を自動的に取り除き、開栓部４３０以降に立ち寄る各種処理部にてさまざまな処理ができるようにするために設置される。
【０１６８】
ここで発生しうる異常のひとつは、開栓失敗である。栓を掴むときに滑った、栓自信が破損したなど何らかの原因によりうまく開栓処理ができない場合がこれにあたる。その場合、システム制御部４９１はこの検体を異常検体と認識し、正常な検体と異なる場所へと搬送する。このような異常検体に対する復帰処理は、操作者が、手作業で検体に対して開栓処理を施すことである。操作者は、処理後の検体を再度検体投入部４１０から投入する。
【０１６９】
次に、検体は、搬送部３５２を介して分注部４５０に搬送される。分注とは、元となるひとつの検体容器内の検体を、複数の検体容器に小分けする作業を指し、通常ピペッターを使って行われる。ここでは元となる検体容器を第一の検体容器、小分け先となる検体容器を第二の検体容器と呼ぶ。分注部４５０は、第一の検体容器内の検体から、単数および複数の第二の検体容器に対して、システム制御部４９１からの指示に従って自動的に分注処理を施す。
【０１７０】
第二の検体容器には、通常高さが７０mm程度〜１０５mm程度の試験管タイプの検体容器と、高さがそれらより短いカップタイプ、高さが７０mm程度〜１０５mm程度の試験管のような外形をしているが容器底が通常の試験管より高い底上げ試験管タイプの検体容器がある。第二の検体容器が試験管タイプまたは底上げ試験管タイプの場合、通常、自動分析装置側で検体識別が可能なようにバーコードなどの識別子を、バーコード貼付部４４０にて分注処理の前後に印刷貼付けする。
【０１７１】
ここで発生しうる異常のひとつは、分注失敗である。分注失敗とは、第一の検体容器内の検体そのものの不足や検体内の異物の影響で、指示された量の検体を、第二の検体容器に分注できないことである。その場合、システム制御部４９１は、この検体を異常検体と認識し、正常な検体と異なる場所へと搬送する。該第一の検体容器に関連する第二の検体容器は、まとめて同じ場所に搬送される。このような異常検体に対する復帰処理は、作業者が手作業で分注処理を施すことである。操作者は、処理後の検体を再度検体投入部から投入する。
【０１７２】
さらに、ここで発生しうる異常のひとつは、識別子異常である。識別子異常とは、第二の検体容器に張付ける識別子、この場合はバーコードラベルの準備に失敗したことである。通常、バーコード印刷の失敗，バーコードラベル用紙の破れ，貼付けの失敗などが考えられる。その場合、システム制御部４９１は、この検体を異常検体と認識し、正常な検体と異なる場所へ搬送する。このような異常検体に対する復帰処理は、作業者が手作業でバーコードラベルを印刷し貼付けることである。操作者は、処理後の検体を再度検体投入部４１０から投入する。もうひとつの方法は、再度元となる第一の検体容器を検体投入部４１０から投入し、分注を含めてやり直すことである。操作者はいずれかの方法で復帰処理を行う。
【０１７３】
次に、検体は、搬送部３５２を介して閉栓部４６０に搬送される。閉栓部４６０は、検体容器に栓を自動的に取り付け、蒸発や不純物混入から検体を保護する。
【０１７４】
ここで発生しうる異常のひとつは、閉栓失敗である。栓が滑った、栓自身が破損したなど何らかの原因によりうまく閉栓処理ができない場合がこれにあたる。その場合、システム制御部４９１はこの検体を異常検体と認識し、正常な検体と異なる場所へと搬送する。このような異常検体に対する復帰処理は、操作者が、手作業で検体に対して閉栓処理を施すことである。操作者は、処理後の検体を再度検体投入部４１０から投入する。
【０１７５】
次に、検体は、搬送部３５２を介して分類部４７０に搬送される。分類とは、検体を使用目的あるいは行き先ごとに並び替える作業をいう。
【０１７６】
分類部４７０の概略を図２９に示す。
【０１７７】
分類部４７０は、検体が架設された検体ホルダー５４０を搬送部３５２からモジュール内へと搬送するモジュール内搬送部４２１、検体容器を複数本まとめて架設する第二の検体トレー５２１と、第二の検体トレー５２１を複数個架設する検体トレー架設部５１１、検体を検体ホルダー５４０から第二の検体トレー５２１に移動するアーム部５３０、第二の検体トレー５２１に取り付けられた識別子を自動的に読み取る識別子読み取り部５１５から構成される。
【０１７８】
第二の検体トレー５２１は、分類部４７０から取り外し可能である。また、第二の検体トレー５２１には、複数本の検体容器５５０が架設可能となっており、数十本から数百本程度の検体を一度にまとめて架設することができる。動作開始に先立ち、操作者は検体の架設されていない第二の検体トレー５２１を、第二の検体トレー架設部５１１にセットする。
【０１７９】
当該分類部４７０にて、分類が必要な検体が搬送部３５２を流れてくるとシステム制御部４９１は、搬送部３５２からモジュール内搬送部４２１を介してその検体ホルダー５４０をモジュール内に搬送する。
【０１８０】
アーム部５３０は検体ホルダー５４０上の検体を掴み上げ、複数存在する第二の検体トレー５２１の中のひとつへと移動させる。移動先の第二の検体トレーは、操作部４９０にて設定されたパラメータにしたがって決定される。
【０１８１】
この分類作業は、第二の検体トレー５２１がいっぱいになるまで繰り返し行われる。トレーが検体でいっぱいになると、アラームが発生し、操作者に第二の検体トレー５２１を交換するよう促す。以上が分類部４７０の正常動作の説明である。
【０１８２】
次に、何らかの異常により分類動作が失敗した場合について説明する。ここで、発生しうる異常のひとつは分類動作の失敗である。分類動作の失敗には、アーム部５３０が検体を掴み損ねたことがあげられる。その場合、システム制御部４９１は、この検体を異常検体と認識し、正常な検体と異なる場所へ搬送する。このような異常検体に対する復帰処理は、操作者が分類動作失敗の原因を取り除いた後に、検体を再度検体投入部から投入するか、または、分類作業そのものを操作者が装置に変わって実施することである。
【０１８３】
次に、検体は、搬送部３５２を介して検体収納部４８０に搬送される。この状況は、検体が分類部４７０にて分類されていない場合にのみ起こる。
【０１８４】
収納とは、処理の終了した検体を検体の種類ごとに並び替えて検体トレーに搬出・保管する作業をいう。検体収納部４８０の構成は、基本的に分類部４７０と同じである。違いは、検体の搬出先となる第二の検体トレー５２１が、分類部４７０より数多く架設できることで、分類部４７０が合計数百検体分の第二の検体トレー５２１を保持するのに対して、検体収納部４８０は、合計千検体相当分の第二の検体トレー５２１を保持することができる。
【０１８５】
上記により、検体の処理の概要について説明した。この中で、異常検体と認識された検体は、正常な検体と異なる場所へと搬送することを記述したが、続いて、その詳細について説明する。
【０１８６】
まず、本実施例では検体投入部４１０にて、システム外からシステム内へ検体を投入するための第一の検体トレー５２０を、システム内からシステム外へ検体を取り出すための第二の検体トレー５２１として利用できる。これらはともに形状が同じであり、互いに置き換えることができる。つまり、検体投入部４１０の第一の検体トレー架設部５１０に検体トレーをセットすれば、その検体トレーは第一の検体トレーすなわち搬入用の検体トレーとして機能し、逆に第二の検体トレー架設部５１１にセットすれば第二の検体トレー５２１すなわち搬出用の検体トレーとして機能する。さらに、検体トレー架設部も、操作部４９０のパラメータ設定で切り替え可能となっており、検体搬入を目的とした第一の検体トレー架設部５１０としても、検体搬出を目的とした第二の検体トレー架設部５１１としても利用できる。処理能力に対する要求が高く、一度にまとめて検体を投入したい検査室では、全てを第一の検体トレー架設部５１０として設定し、逆に、処理能力はそれほど必要でない場合は、一部を第二の検体トレー架設部５１１として設定し、異常検体を検体投入部４１０に取り出すことで、異常復帰処理後の検体再投入をその場で行えるようにできる。
【０１８７】
本実施例の検体検査自動化システム３５１では、システム内の検体をシステム外に搬出する第二の検体トレー架設部は、検体投入部４１０，分類部４７０，検体収納部４８０に存在する。ここには、正常検体だけではなく、異常検体も搬出できる。
【０１８８】
異常検体搬出先の設定はエラーの種類ごとおよび復帰処理の方法ごとに可能である。
【０１８９】
異常検体にはいくつか種類があり、異常の種類により復帰処理の方法が異なるのは、すでに記載したとおりである。異常検体を一箇所に搬出した場合、操作者がまとめて処理できる反面、各検体に対してどのような異常が発生してどのような復帰処理をしなければならないかわからない場合がある。こうなると、操作者は、操作部の画面や帳票上でどの検体をどのように処理すればよいか参照した上で復帰処理を施さねばならず不便である。そこで、本実施例では、操作者が一箇所でまとめて作業ができて、かつ、検体を見ただけでどのように処理すればよいか把握できる方法を提供する。
【０１９０】
本実施例では、異常の種類ごとに異常検体の搬出先を異なる場所、つまり、検体トレーもしくは検体トレー内の領域に指定する。さらに、搬出先にはあらかじめ、どのような検体が搬出されてくるのか、文字や色といった操作者が識別できる方法で、どのような異常検体が搬出されてくるのかを記載しておくこともできる。その結果、操作者は、搬送された場所から異常の種類を把握し、画面や帳票を参照することなしにどのように作業すればよいかを判断し復帰処理をできるようになる。
【０１９１】
さらに、もうひとつの例として、異常の種類ではなく、復帰処理の方法ごと異常検体の搬出先を指定する方法もある。この場合、異なる種類の異常であっても復帰処理方法が同じであれば、操作者は異常検体を区別する必要がないので、画面や帳票を参照することなく復帰処理ができるという目的は達成できる。
【０１９２】
異常検体の搬出先を設定するにあたっての選択肢は以下とする。
【０１９３】
ひとつは、第二の検体トレー架設部５１１単位である。第二の検体トレー５２１には数十本の検体をまとめて取り出すことができる。装置の強制停止が発生した後のリセット検体は一度に大量発生するので、このような検体を取り出すのに便利である。必要であれば複数の第二の検体トレー５２１にまたがって異常検体が搬出できるよう、複数の第二の検体トレー架設部５１１に対して、同一種類の異常検体の搬出先を指定できるようにする。
【０１９４】
もうひとつは、第二の検体トレー５２１を論理的に細分化し、トレー内のポジション単位で、異常検体の搬出先を指定できるようにすることである。この場合パラメータの設定内容は、第二の検体トレー架設部５１１と、そこに架設された第二の検体トレー５２１内のポジションとなる。
【０１９５】
操作部４９０の設定画面では、４種類の情報を関連付けて異常搬送先を指定する。４種類の情報は、異常検体の種類を指定するための異常検体種類情報、異常検体の搬出先となるモジュールを指定するための異常検体搬出先モジュール情報、該モジュール内の搬出先検体トレー架設部を指定するための検体トレー架設部情報、異常検体搬出先検体トレー内ポジションである。図３０に異常検体の種類ごとに搬出先を指定した設定の一例を示す。
【０１９６】
図３１に図３０で示した設定による異常検体の搬出先を示す。
【０１９７】
異常が発生した検体のうち検体識別子読取不可２１０，検体情報入手不可２２０，開栓処理失敗２４０の検体は、検体投入部４１０の検体トレー架設部４１３に架設された異常検体搬出用の検体トレー、第二の検体トレー５２１に搬出される。
【０１９８】
異常が発生した検体のうち分注失敗２５０の検体は、検体投入部４１０の検体トレー架設部４１２に架設された異常検体搬出用の検体トレー、第二の検体トレーに搬出される。
【０１９９】
異常が発生した検体のうち遠心分離処理中断２３０の検体は、検体収納部４８０の検体トレー架設部４８１に架設された異常検体搬出用の検体トレー、第二の検体トレーへ搬出される。
【０２００】
いずれも検体投入用の検体トレー架設部、すなわち第一の検体トレー架設部４１１のそばに位置しており、異常復帰処理が終了した後に、再投入しやすい位置にある。
【０２０１】
図３２に検体識別子読取不可２１０，検体情報入手不可２２０，開栓処理失敗２４０の検体が搬出される第二の検体トレー５２１の詳細を示す。図３０にて設定された情報を元に、システム制御部４９１は、検体投入部４１０の第二の検体トレー架設部４１３にセットされた、第二の検体トレー５２１に、異常な検体を搬出する。
【０２０２】
第二の検体トレー５２１は、５行，１０列の検体容器を差し込むための穴を有する検体トレーである。図３２の右下を基点、左上を終点とした合計５０箇所の検体容器架設穴を有する。
【０２０３】
第一の領域６６０は、ポジション１〜２０の試験管架設穴を有し、検体識別子読取不可２１０の検体のみが架設される。
【０２０４】
第二の領域６７０は、ポジション２１〜４０の試験管架設穴を有し、検体情報入手不可２２０の検体のみが架設される。
【０２０５】
第二の領域６８０は、ポジション４１〜５０の試験管架設穴を有し、開栓処理失敗２４０の検体のみが架設される。
【０２０６】
異常検体の搬出先となる第二の検体トレー５２１の交換に関する実施例を以下に記載する。
【０２０７】
第二の検体トレー５２１には識別子７０１が貼付けてある。この識別子７０１は第二の検体トレー５２１を第二の検体トレー架設部５１１にセットした時点で識別子読取装置５１５により読み取られ、システム制御部４９１に伝達される。システム制御部４９１は、この情報を元に第二の検体トレー５２１の交換後に、第二の検体トレー５２１上にどのように検体が残っているかを判断する。
【０２０８】
方法の一つ目を記載する。システム制御部４９１では、最後に行われた検体トレーに関するデータベースの初期化もしくは日付の変わり目の時点を基点として、第二の検体トレー５２１の識別子７０１がそれ以降に初めて読み取られた識別子である場合は、検体が全て取り除かれた空の第二の検体トレーが架設されていると判断し、１ポジション目から検体を搬出していく。これとは逆に、一度認識された識別子が読み取られた場合には、一度使われた第二の検体トレー５２１が再架設されたと判断し、その検体トレー上で最後に検体が搬出された次のポジションから順に検体を架設する。また、同じ検体トレーを何度か使わねばならない場合を想定して、操作部画面上もしくは第二の検体トレー付近に検体トレーリセット指示部を備えることとする。これを実施した場合、システム制御部４９１はその第二の検体トレーが空になったと判断し、強制的に１ポジション目から検体を搬出する。
【０２０９】
方法の二つ目を記載する。ある第二の検体トレー架設部５１１において、第二の検体トレー３００の交換前後で第二の検体トレーの識別子７０１が異なる場合、システム制御部４９１は、第二の検体トレー上の検体が全て取り除かれていると判断し、１ポジション目から検体を搬出していく。逆に、第二の検体トレー５２１の交換前後で識別子７０１が同じである場合、同じ第二の検体トレー架設されたものと判断し、前回検体を最後に置いたポジションの次のポジションから順に検体を搬出する。この場合も同様に、同じ識別子の第二の検体トレーを何度か使わねばならない場合を想定して、操作部画面上もしくは第二の検体トレー付近に検体トレーリセット指示部を備えることとする。トレーリセットを実施した場合、システム制御部４９１はその第二の検体トレーが空になったと判断し、強制的に１ポジション目から検体を搬出する。
【０２１０】
これらは二つの方法はシステム制御部４９１にあらかじめ埋め込んでおき、操作部上で切り替えできるようにしておくものとする。
【０２１１】
異常発生の通知に関して記載する。
【０２１２】
本実施例の検体検査自動化システム３５１は、異常が発生したことを操作者に通知する異常通知部４９２を備える。通知の手段としては、操作者が検体検査自動化システム３５１付近にいるとは限らないことを想定し、音声出力デバイスや光出力デバイスによる離れた場所にまで通知できる方法が好ましい。さて検体に対する処理の異常は、先に述べたとおり各処理部にて発生するが、異常検体の搬出先は、操作者の便宜のため複数箇所から選択できるようになっている。そのため、必ずしも異常発生場所と異常検体の搬出先がそばにあるとは限らない。たとえば分注異常で例えると、分注異常が発生したのは分注部４５０であるが、分注異常の検体が搬出されるのは検体投入部のような場合である。
【０２１３】
この場合、実際に異常が発生してから、異常搬出先に検体が搬出されるまでに数十秒程度のタイムラグが発生する可能性がある。もし、異常が発生した時点で直ちに異常通知部４９２が操作者に異常を知らせると、操作者が異常検体搬出場所に駆けつけても、まだ、異常検体が搬出されない状況が発生する。このとき操作者は、アラームを一度消し、その場で検体が出てくるのを待つか、あるいは、別の仕事に取り掛かることになる。別の仕事に取り掛かった場合、アラーム消されてしまっているので、異常検体が搬出されても気づかずに、処理の着手に遅れてしまうことが起こりうる。
【０２１４】
これを回避するために、本実施例では、異常通知のタイミングを異常発生時ではなく、異常検体が第二の検体トレー５２１に搬出された時点とする。なお、ここで言う搬出された時点とは、その前後十数秒を含むものとする。
【０２１５】
さらに、この実施例では、異常発生のタイミングを操作部４９０から設定できるようにする。この場合のアラーム発生タイミングの選択肢は、異常発生直後、もしくは異常検体が第二の検体トレー５２１に搬出された時点である。
【０２１６】
さらにアラーム発生タイミングの設定可能なアラームの単位は、全てのアラームを対象としたもの、及び、個々のアラームごと、異常検体の復帰処理方法が同じアラームごと、に別々に設定可能なものの３種類が想定される。
【０２１７】
異常が発生した後に、再度失敗した処理を検体検査自動化システム３５１に行わせる方法について記載する。
【０２１８】
本実施例の検体検査自動化システム３５１は、基本的に処理が失敗した場合、失敗した検体はシステム外に搬出され、操作者が手動でその処理を実施する。その検体が再度システム内に搬入されると、検体検査自動化システムは、失敗した処理の次から処理を再開する。たとえば、検体投入部４１０，遠心部４２０，開栓部４３０，分注部４５０，検体収納部４８０の順に処理部が並んでおり、順次処理する場合において、遠心部４２０で異常が発生すれば操作者は手動で検体に対する遠心処理を実施し、再投入後、検体検査自動化システムは開栓部からの処理を継続する。しかしながら、何らかの理由で、遠心分離開始直後に異常が発生し、まだ、ほとんど遠心分離処理が行われていない状況では、操作者が検体検査自動かシステム内で再度遠心処理をさせてよいと判断する可能性がある。そのような場合に、直前に失敗した処理を再度強制的に行う手段をこのシステムでは提供する。
【０２１９】
これを実現するひとつの方法は、再処理強制用の第一の検体トレー５２０もしくは第一の検体トレー架設部５１０を設ける方法である。そこから搬入された再投入検体は全て異常終了が発生した処理から再度開始するようにする。この方法では、操作部画面等から繰り返しどの検体に対して再処理を指示する必要がないので、一度にまとめて再処理を指示する場合に便利である。特に先に述べた遠心分離処理の中断後の復帰処理では一度の数十本の異常検体が発生するので、本方法は有効である。
【０２２０】
これを実現するもうひとつの方法は、再処理強制指示部を操作部４９０画面上に設ける方法である。再処理をしたい検体の識別子を操作部画面で指定した上で、再処理強制指示部から再処理を指示する。その後検体を投入すると指定した検体に対してのみ再処理が実施される。検体に依存する個別の異常により、少数の検体の異常に対して再処理をかけるのにこの方法は都合がよい。例としては、検体内部にフィブリンなどの異物が析出し分注部で分注失敗した場合などがあげられる。
【０２２１】
分注部４５０で分注失敗した異常検体の並べ方について記載する。
【０２２２】
本実施例の検体検査自動化システム３５１では、分注時に異常が発生すると、分注処理は中断されて、検体は、元となる第一の検体容器に戻される。小分け先となる第二の検体容器は、検査室情報システム側からの指示に応じて最大で１０本まで作成される可能性があるが分注が失敗した場合、全て空となる。さらに、分注が失敗した場合であっても、第二の検体容器には、識別子となるバーコードラベルが貼付けることとする。さて、第二の検体容器に貼付けられた識別子には、検体を特定するためのＩＤ，検体ＩＤのほか、検体分注量，行き先，どの分析に利用されるかも印刷される。これは正常に分注が行われた場合、どれだけの検体が、第二の検体容器に分注されるはずであったかを示すものである。操作者が、分注失敗の復帰処理の過程でこの数値を参照することにより、操作部の画面や、印刷物を参照することなく手作業で分注することを補助する。
【０２２３】
分注失敗が発生したことをシステム制御部４９１が認識すると、元となる第一の検体容器と、それに関連する第二の検体容器は全て、あるいは、分注が失敗した第二の検体容器は全て、異常検体搬送先に搬送される。異常検体搬送先へ搬送対象を、全ての第二の検体容器とするか、分注が失敗した第二の検体容器とするかは、操作部４９０から設定することもできる。異常搬送先では、第一の検体容器と第二の検体容器は、第二の検体トレー５２１上に図３３に示すように並べられる。
【０２２４】
図３３に第二の検体トレー５２１上に分注失敗の検体が並んでいる様子を示す。第二の検体トレーには、１０行，５列の格子状に配列した穴があり、それぞれに検体容器を差し込むことができる。ここでは、合計５０本の検体容器が第二の検体トレー５２１上に架設できる。それぞれの穴は、標準的に使われる試験管の径９〜１７mmまでを直立保持するようにできており、異なる径の検体容器であっても、同じ第二の検体トレー上に搬出可能となっている。第一の検体容器と第二の検体容器は、異なるタイプの場合が多いので、異なる径の試験管を同じ検体トレーに架設できることは必須である。
【０２２５】
分注元となる第一の検体容器７３０と、小分け先となる第二の検体容器７３１は、これ以降に記載するルールにのっとり図３３のとおりに並べられる。
【０２２６】
ルールのひとつは第一の検体と第二の検体容器は互いに隣り合う位置に搬出されることである。まず初めに、ある検体に対して分注失敗が発生し、第一の検体容器１個と、それから関連する空の第二の検体容器２個が第二の検体トレーに搬出される必要が生じている。この場合、第一の検体容器は、最初の行の１列目に搬出される。さらに該第二の検体容器２個は、第一の検体容器と同じ行の２列目以降に間を詰めて搬出される。この場合は２〜３列目に搬出される。
【０２２７】
仮に、第二の検体容器の数が、列数−１を超える場合、第二の検体容器は次の行の１列目から並べられる。仮に該第二の検体容器が６個の場合は、５個目と６個目の第二の検体容器が、親検体の次の列の１列目と２列目に並ぶこととなる。
【０２２８】
ルールのもうひとつは、元となる第一の検体容器が異なる場合、互いに異なる行に搬出されることである。新たに分注失敗が発生して、それに関連する第一の検体容器および第二の検体容器が搬出される場合には、例え最後に検体容器が搬出された行にまだ、空きのポジションが残っていても次の行に改行してから搬出するものとする。搬出の際の並べ方は、先の検体に対するものと同様なルールである。
【０２２９】
以上のルールによれば、まず、本実施例では搬出先は異常の種類ごとに区別されているため、操作者は、搬出されてきた検体が分注失敗であることを搬出場所から認識することができる。さらに、元となる第一の検体容器は必ず１列目に存在し、さらに、小分け先となる空の第二の検体容器は、一箇所にまとめて並んでいるため、操作者は、容易に関連しあう第一の検体容器と第二の検体容器を探し出すことができる。
【０２３０】
さらに、第二の検体容器に貼付けてある識別子上には、手作業で第一の検体容器から第二の検体容器に分注しなければならない分注量が印刷されているので、操作者は、異常の発生を音や光で認識し検体搬出場所に駆けつけた後、画面や帳票を参照することなしに、その場で直ちに復帰作業に取り掛かることができる。
【０２３１】
さらに、分注失敗検体を搬出する第二の検体トレーと、復帰処理語の検体を再投入する第一の検体トレーを互いに近くに位置するよう設定することにより、操作者が移動することなく、その場で検体を再投入できる。
【０２３２】
分注失敗検体が複数本まとまって存在する場合は、分注失敗検体が搬出された第二の検体トレーを取り外し、作業机上でまとめて処理することもできる。この場合も、画面や帳票を参照することなく作業ができるので、作業効率もよい。
【０２３３】
異なる２種類の検体で、ひとつの搬出先を共有する効率よく方法について記載する。
【０２３４】
搬出先となる第二の検体トレーには、ｎ行，ｍ列の格子状に配列した穴があり、それぞれに検体容器を差し込む。検体を搬出するための第二の検体トレーには２種類の検体、第一の種類の検体と、第二の種類の検体を搬出する。第一の種類の検体は、第二の検体トレー前方の行から、第二の種類の検体は、第二の検体トレー後方の行から順に搬出される。第一の種類の検体トレーと第二の種類の検体トレーは、互いに隣り合うまで架設され、架設領域は動的に変更される。検査室の状況変化により、検体の種類ごとの数は増減する。この方法では、どのような状況であっても第二の検体トレーを最大限に有効活用できる。
【０２３５】
さらに、本実施例の改良方法を記載する。
【０２３６】
先の例では、第二の検体トレーは最大限利用できるものの、境界が明確にならないため、キャップの色が異なる、検体容器の形状が異なるなど２種類の検体の間に明確な識別方法がない場合は、操作者はどこが境界であるのか判断に迷う可能性がある。そこで、改良の実施例では、第一の種類の異常検体と第二の種類の異常検体を隣り合うまで架設するのではなく、互いに検体を架設する穴１つ以上、もしくは、１行以上の空きを設けて互いに隣り合うまで架設されるものとする。この条件を超える検体が届いた時点で、検体検査自動化システムは、何らかの方法で検体トレーが満杯になったことを通知しトレーの交換を操作者に促す。第一の種類と第二の種類の検体容器の形状が同じで見分けが付かなくても、操作者は、空きを境界と判断することができる。
【０２３７】
図３４に第一の種類の検体容器７４０が多く分類された場合を、図３５に第二の種類の検体容器７４１が多く分類された場合を示す。境界が動的に変化し第一の種類の検体容器７４０が多い場合と、第二の種類の検体が多い場合の両方でより多くの検体を分類しているのがわかる。
【０２３８】
図３７は、一行の空きを設けて、第一の種類の検体容器７４０と第二の種類の検体容器７４１が互いに隣り合うまで架設された例である。この状態では、次に第二の種類の検体容器７４１が到着すると「一行の空きを設けて隣り合う」の条件が満たされなくなる。次の第二の種類の検体容器が到着した時点で、検体トレーが満杯になった旨のアラームを発生させて、操作者に検体トレー交換を促す。
【０２３９】
なお、上記第一の種類の検体容器が異常検体，第二の種類の検体容器が正常検体のように分類することもできるし、第一の種類，第二の種類を異常の種類で分類することもできる。また、再検査要の検体を第一の種類，再検査不要の検体を第二の種類と分類することもできる。これらの分類の仕方は、ユーザが決め、予めシステムに記憶することもできるし、画面上で分類の仕方をユーザが選択できるインターフェースを備えても良い。
【０２４０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【０２４１】
本発明は、検体検査自動化システムに関し、特に、検体を１本だけ架設する検体ホルダによって搬送するシステムや装置などに広く適用可能である。
【図１】
0005519786.tif 000002
【図３】
0005519786.tif 000003
【図４】
0005519786.tif 000004
【図５】
0005519786.tif 000005
【図６】
0005519786.tif 000006
【図７】
0005519786.tif 000007
【図８】
0005519786.tif 000008
【図９】
0005519786.tif 000009
【図１０】
0005519786.tif 000010
【図１１】
0005519786.tif 000011
【図１２】
0005519786.tif 000012
【図１３】
0005519786.tif 000013
【図１４】
0005519786.tif 000014
【図１５】
0005519786.tif 000015
【図１６】
0005519786.tif 000016
【図１７】
0005519786.tif 000017
【図１８】
0005519786.tif 000018
【図１９】
0005519786.tif 000019
【図２０】
0005519786.tif 000020
【図２１】
0005519786.tif 000021
【図２２】
0005519786.tif 000022
【図２３】
0005519786.tif 000023
【図２４】
0005519786.tif 000024
【図２５】
0005519786.tif 000025
【図２６】
0005519786.tif 000026
【図２７】
0005519786.tif 000027
【図３０】
0005519786.tif 000028
【図３１】
0005519786.tif 000029
【図３２】
0005519786.tif 000030
【図３３】
0005519786.tif 000031
【図３４】
0005519786.tif 000032
【図３５】
0005519786.tif 000033
【図３６】
0005519786.tif 000034
【図３７】
0005519786.tif 000035
【図２】
0005519786.tif 000036
【図２８】
0005519786.tif 000037
【図２９】
0005519786.tif 000038